(57)【特許請求の範囲】
【請求項１】
電子部品の端子に対する電気的な接続が可能な連結端子を収容できる空間であり、複数の前記連結端子毎に設けた端子収容室と、
前記端子収容室に収容された前記連結端子を保持する端子保持部と、
を備え、
全ての前記端子収容室の内、前記連結端子と前記電子部品の前記端子に対する電気的な接続が可能な端子部が複数形成された１枚の板状のバスバにおける１つの前記端子部とを入れ替えて収容可能で且つ前記バスバのそれぞれの前記端子部毎に割り当てられた複数の共用収容室であり、これらの内の隣り合う前記共用収容室の間の間仕切り壁は、前記バスバにおける隣り合う前記端子部の間を繋ぐ連結部を前記共用収容室に収容させるべく、前記端子部の前記共用収容室への収容状態のときに前記連結部が挿入されている室間挿入部を有し、
前記共用収容室の前記端子保持部は、前記バスバの前記共用収容室及び前記室間挿入部への収容を阻害しないように前記共用収容室毎に設けることを特徴とした端子収容体。
【請求項２】
前記端子保持部は、前記端子収容室で突出させ、前記端子収容室に収容された前記連結端子の被係止部を係止する係止部であり、
前記共用収容室の前記端子保持部に又は前記端子保持部と前記共用収容室の内壁面との間に、前記端子部の前記共用収容室への収容状態のときに前記バスバが挿入されている室内挿入部を形成することを特徴とした請求項１に記載の端子収容体。
【請求項３】
前記バスバを保持するバスバ保持部を前記共用収容室又は前記室間挿入部に設ける場合、前記バスバ保持部は、前記共用収容室の内部に存在している壁面又は前記室間挿入部の壁面から突出させ、前記端子部が前記共用収容室に収容された際に、前記バスバの被係止部を係止する係止部であり、前記連結端子の前記共用収容室への収容を阻害しないように配置することを特徴とした請求項１又は２に記載の端子収容体。
【請求項４】
複数の前記端子収容室が一列に配置された第１収容室群、及び、前記第１収容室群のそれぞれの前記端子収容室と個別に対になる同数の前記共用収容室が一列に配置された第２収容室群を少なくとも有し、
前記室間挿入部は、前記第２収容室群における隣り合う前記共用収容室の間の前記間仕切り壁に設けることを特徴とした請求項１，２又は３に記載の端子収容体。
【請求項５】
全ての前記端子収容室から成る電気接続空間を複数並べて配置し、かつ、複数の前記電気接続空間の内の隣り合う少なくとも２つに渡って１枚の板状の連接バスバを収容し得るように形成し、
互いに隣り合う２つの前記電気接続空間におけるそれぞれの前記共用収容室の内、一方の前記電気接続空間における少なくとも１つの前記共用収容室と他方の前記電気接続空間における少なくとも１つの前記共用収容室とを各々連接収容室とし、それぞれの前記連接収容室は、前記連結端子と前記バスバにおける１つの前記端子部と前記連接バスバにおける１つの端子部とを入れ替えて収容し得るように形成し、
前記一方の前記電気接続空間における前記連接収容室と前記他方の前記電気接続空間における前記連接収容室の隣り合うもの同士の間には、そのそれぞれの前記連接収容室の室間を連通させ、かつ、前記連接バスバにおける隣り合う前記端子部の間を繋ぐ連結部を収容させる室間連通部を設けることを特徴とした請求項１から４の内の何れか１つに記載の端子収容体。
【請求項６】
前記電気接続空間は、電源に対して電気的に接続された給電端子を収容する給電端子収容室を備え、
前記給電端子収容室は、少なくとも前記バスバにおける給電端子部と前記連接バスバにおける給電端子部とを入れ替えて前記給電端子と共に収容可能で、かつ、その室内で前記バスバと前記連接バスバにおける何れか一方の前記給電端子部を前記給電端子に対して電気的に接続し得るように形成することを特徴とした請求項５に記載の端子収容体。
【請求項７】
前記電気接続空間は、２つ設けることを特徴とした請求項５又は６に記載の端子収容体。
【請求項８】
電子部品と、
前記電子部品の端子に対する電気的な接続が可能な連結端子を収容できる空間であり、複数の前記連結端子毎に設けた端子収容室、及び、前記端子収容室に収容された前記連結端子を保持する端子保持部を有する端子収容体と、
前記連結端子に対して直接的又は間接的に電気的に接続される電線と、
を備え、
全ての前記端子収容室の内、前記連結端子と前記電子部品の前記端子に対する電気的な接続が可能な端子部が複数形成された１枚の板状のバスバにおける１つの前記端子部とを入れ替えて収容可能で且つ前記バスバのそれぞれの前記端子部毎に割り当てられた複数の共用収容室であり、これらの内の隣り合う前記共用収容室の間の間仕切り壁は、前記バスバにおける隣り合う前記端子部の間を繋ぐ連結部を前記共用収容室に収容させるべく、前記端子部の前記共用収容室への収容状態のときに前記連結部が挿入されている室間挿入部を有し、
前記共用収容室の前記端子保持部は、前記バスバの前記共用収容室及び前記室間挿入部への収容を阻害しないように前記共用収容室毎に設けることを特徴としたワイヤハーネス。
【発明の詳細な説明】
【技術分野】
【０００１】
本発明は、端子収容体及びワイヤハーネスに関する。
【背景技術】
【０００２】
従来、所定の端子を収容及び保持する端子収容体が知られている。その所定の端子とは、少なくとも電子部品（ヒューズやリレー等）の端子を相手側端子として電気的に接続させるものである。具体的に、この所定の端子とは、電線の端部に圧着若しくは溶着等で電気的に接続された端子（以下、「ハーネス端子」という。）であって相手側端子としての電子部品の端子に対して電気的に接続されるもの、相手側端子としてのハーネス端子と相手側端子としての電子部品の端子との間に介在させた中継端子、又は、相手側端子としての電子部品の端子が電気的に接続される端子部を少なくとも有するバスバなどのことである。以下においては、ハーネス端子や中継端子のことを「連結端子」と称することにする。電子部品は、少なくとも連結端子やバスバを介して端子収容体に接続される。この種の端子収容体については、下記の特許文献１及び２に記載されている。
【先行技術文献】
【特許文献】
【０００３】
【特許文献１】特開平７−２２０９７号公報
【特許文献２】特開平９−２５２５１８号公報
【発明の概要】
【発明が解決しようとする課題】
【０００４】
ところで、例えば、同一車種でありながら仕様の異なる車両などのような互いに関連性のある車両間においては、端子収容体に接続される電子部品について、互いに異なる種類のものであったり、同じ種類の電子部品であっても、その数量が異なるものであったりすることがある。このため、それぞれの車両間においては、一方の車両の端子収容体に連結端子のみが収容され、他方の車両の端子収容体に少なくともバスバが収容されることがある。よって、従来は、例えば、車両の仕様毎に、連結端子の収容室のみからなる端子収容体と少なくともバスバの収容室を有する端子収容体とを用意する必要がある。【０００５】
そこで、本発明は、連結端子とバスバとで端子収容室の共用化が可能になる端子収容体及びワイヤハーネスを提供することを、その目的とする。
【課題を解決するための手段】
【０００６】
上記目的を達成する為、本発明に係る端子収容体は、電子部品の端子に対する電気的な接続が可能な連結端子を収容できる空間であり、複数の前記連結端子毎に設けた端子収容室と、前記端子収容室に収容された前記連結端子を保持する端子保持部と、を備える。そして、全ての前記端子収容室の内、前記連結端子と前記電子部品の前記端子に対する電気的な接続が可能な端子部が複数形成された１枚の板状のバスバにおける１つの前記端子部とを入れ替えて収容可能で且つ前記バスバのそれぞれの前記端子部毎に割り当てられた複数の共用収容室であり、これらの内の隣り合う前記共用収容室の間の間仕切り壁は、前記バスバにおける隣り合う前記端子部の間を繋ぐ連結部を前記共用収容室に収容させるべく、前記端子部の前記共用収容室への収容状態のときに前記連結部が挿入されている室間挿入部を有し、前記共用収容室の前記端子保持部は、前記バスバの前記共用収容室及び前記室間挿入部への収容を阻害しないように前記共用収容室毎に設けることを特徴としている。【０００７】
ここで、前記端子保持部は、前記端子収容室で突出させ、前記端子収容室に収容された前記連結端子の被係止部を係止する係止部であり、前記共用収容室の前記端子保持部に又は前記端子保持部と前記共用収容室の内壁面との間に、前記端子部の前記共用収容室への収容状態のときに前記バスバが挿入されている室内挿入部を形成することが望ましい。【０００８】
また、前記バスバを保持するバスバ保持部を前記共用収容室又は前記室間挿入部に設ける場合、前記バスバ保持部は、前記共用収容室の内部に存在している壁面又は前記室間挿入部の壁面から突出させ、前記端子部が前記共用収容室に収容された際に、前記バスバの被係止部を係止する係止部であり、前記連結端子の前記共用収容室への収容を阻害しないように配置することが望ましい。【０００９】
また、複数の前記端子収容室が一列に配置された第１収容室群、及び、前記第１収容室群のそれぞれの前記端子収容室と個別に対になる同数の前記共用収容室が一列に配置された第２収容室群を少なくとも有し、前記室間挿入部は、前記第２収容室群における隣り合う前記共用収容室の間の前記間仕切り壁に設けることが望ましい。【００１０】
また、全ての前記端子収容室から成る電気接続空間を複数並べて配置し、かつ、複数の前記電気接続空間の内の隣り合う少なくとも２つに渡って１枚の板状の連接バスバを収容し得るように形成し、互いに隣り合う２つの前記電気接続空間におけるそれぞれの前記共用収容室の内、一方の前記電気接続空間における少なくとも１つの前記共用収容室と他方の前記電気接続空間における少なくとも１つの前記共用収容室とを各々連接収容室とし、それぞれの前記連接収容室は、前記連結端子と前記バスバにおける１つの前記端子部と前記連接バスバにおける１つの端子部とを入れ替えて収容し得るように形成し、前記一方の前記電気接続空間における前記連接収容室と前記他方の前記電気接続空間における前記連接収容室の隣り合うもの同士の間には、そのそれぞれの前記連接収容室の室間を連通させ、かつ、前記連接バスバにおける隣り合う前記端子部の間を繋ぐ連結部を収容させる室間連通部を設けることが望ましい。【００１１】
また、前記電気接続空間は、電源に対して電気的に接続された給電端子を収容する給電端子収容室を備え、前記給電端子収容室は、少なくとも前記バスバにおける給電端子部と前記連接バスバにおける給電端子部とを入れ替えて前記給電端子と共に収容可能で、かつ、その室内で前記バスバと前記連接バスバにおける何れか一方の前記給電端子部を前記給電端子に対して電気的に接続し得るように形成することが望ましい。【００１２】
また、前記電気接続空間は、２つ設けることが望ましい。【００１３】
また、上記目的を達成する為、本発明に係るワイヤハーネスは、電子部品と、前記電子部品の端子に対する電気的な接続が可能な連結端子を収容できる空間であり、複数の前記連結端子毎に設けた端子収容室、及び、前記端子収容室に収容された前記連結端子を保持する端子保持部を有する端子収容体と、前記連結端子に対して直接的又は間接的に電気的に接続される電線と、を備える。そして、全ての前記端子収容室の内、前記連結端子と前記電子部品の前記端子に対する電気的な接続が可能な端子部が複数形成された１枚の板状のバスバにおける１つの前記端子部とを入れ替えて収容可能で且つ前記バスバのそれぞれの前記端子部毎に割り当てられた複数の共用収容室であり、これらの内の隣り合う前記共用収容室の間の間仕切り壁は、前記バスバにおける隣り合う前記端子部の間を繋ぐ連結部を前記共用収容室に収容させるべく、前記端子部の前記共用収容室への収容状態のときに前記連結部が挿入されている室間挿入部を有し、前記共用収容室の前記端子保持部は、前記バスバの前記共用収容室及び前記室間挿入部への収容を阻害しないように前記共用収容室毎に設けることを特徴としている。
【発明の効果】
【００１４】
本発明に係る端子収容体は、バスバの挿入が可能な室間挿入部を隣り合う共用収容室の間の間仕切り壁に設け、かつ、このバスバの収容を阻害せずに連結端子を保持する端子保持部を設けている。このため、この端子収容体は、連結端子とバスバとで端子収容室の共用化が可能になる。また、本発明に係るワイヤハーネスは、その端子収容体を備えるものであるので、その端子収容体の効果を奏することができる。
【図面の簡単な説明】
【００１５】
【図１】図１は、実施形態の端子収容体とワイヤハーネスを示す斜視図である。
【図２】図２は、端子収容体と端子収容体に収容される連結端子及び電子部品について示す分解斜視図である。
【図３】図３は、端子収容体と端子収容体に収容されるバスバ及び電子部品について示す分解斜視図である。
【図４】図４は、端子収容体を端子の挿入口側から見た正面図である。
【図５】図５は、端子収容体を端子の挿入口側から見た斜視図である。
【図６】図６は、図４の端子収容室を部分的に拡大した図である。
【図７】図７は、図６のＸ−Ｘ線断面図である。
【図８】図８は、図６のＹ−Ｙ線断面図である。
【図９】図９は、図８の共用収容室に対する連結端子の収容状態について説明する図である。
【図１０】図１０は、図８の共用収容室に対するバスバの収容状態について説明する図である。
【図１１】図１１は、変形例１の端子収容体を示す斜視図である。
【図１２】図１２は、図１１の共用収容室に対する連結端子の収容状態について説明する図である。
【図１３】図１３は、図１１の共用収容室に対するバスバの収容状態について説明する図である。
【図１４】図１４は、変形例２の端子収容体を示す斜視図である。
【図１５】図１５は、変形例２の端子収容体を端子の挿入口側から見た正面図である。
【図１６】図１６は、変形例２の端子収容体の使用例の１つを示す分解斜視図である。
【図１７】図１７は、変形例２の端子収容体の使用例の１つを示す分解斜視図である。
【図１８】図１８は、変形例２の端子収容体の使用例の１つを示す分解斜視図である。
【図１９】図１９は、変形例２の端子収容体の使用例の１つを示す分解斜視図である。
【図２０】図２０は、変形例２のバスバを示す斜視図である。
【図２１】図２１は、変形例２の連接バスバを示す斜視図である。
【図２２】図２２は、図１６の使用例の回路構成を示す図である。
【図２３】図２３は、図１７の使用例の回路構成を示す図である。
【図２４】図２４は、図１８の使用例の回路構成を示す図である。
【図２５】図２５は、図１９の使用例の回路構成を示す図である。
【発明を実施するための形態】
【００１６】
以下に、本発明に係る端子収容体及びワイヤハーネスの実施形態を図面に基づいて詳細に説明する。尚、この実施形態によりこの発明が限定されるものではない。
【００１７】
［実施形態］
本発明に係る端子収容体及びワイヤハーネスの実施形態の１つを図１から図１０に基づいて説明する。
【００１８】
図１の符号１は、本実施形態の端子収容体を示す。また、図１の符号ＷＨは、その端子収容体１を備えたワイヤハーネスを示す。
【００１９】
本実施形態の端子収容体１とは、所定の端子１１０を内部に収容及び保持することが可能な収容部材のことである（図２及び図３）。その所定の端子１１０とは、少なくとも電子部品２１０の端子２１２を接続対象の相手側端子とし、この端子２１２に対する電気的な接続を可能にするもののことである。具体的に、この端子１１０としては、その電子部品２１０の端子２１２に対して着脱自在に接続可能な連結端子１２０（図２）や板状のバスバ１３０の端子部１３１（図３）が該当する。尚、図２及び図３においては、後述する電線２２０を省略している。
【００２０】
ここで、電子部品２１０とは、電子部品本体２１１と、この電子部品本体２１１に対して電気的に接続される端子２１２と、を備えたもののことである。例えば、この電子部品２１０としては、回路保護部品（ヒューズ等）、リレー、コネクタ又は電子機器｛電子制御ユニット（所謂ＥＣＵ）等｝などが考えられる。この例示の電子部品２１０は、ヒューズであって、端子２１２を板状の雄型に成形している。
【００２１】
また、連結端子１２０とは、先に説明したように、電線２２０（図１）の端部に圧着若しくは溶着等で電気的に接続されたハーネス端子であり、電子部品２１０の端子２１２を相手側端子とするもの、又は、ハーネス端子と電子部品２１０の端子２１２をそれぞれに相手側端子とし、これらの間に介在させて相互間を電気的に接続させる中継端子のことである。この連結端子１２０は、例えば、導電性の金属の板材（例えば銅板）を母材にして、相手側端子との物理的な接続が可能な所定の形状に成形されたものである。この連結端子１２０は、雄端子であってもよく、雌端子であってもよい。この連結端子１２０は、相手側端子に対する電気的な接続が可能な端子接続部１２１を少なくとも有している（図２）。その端子接続部１２１は、連結端子１２０の端子形態（雄型又は雌型）に応じた形状に適宜成形される。ハーネス端子の場合には、少なくとも１つの端子接続部１２１が設けられている。中継端子の場合には、少なくとも２つの端子接続部１２１が設けられている。
【００２２】
この例示の連結端子１２０は、ハーネス端子であって、１つの相手側端子に対して電気的に接続させる。このため、この連結端子１２０には、１つの端子接続部１２１と、電線２２０に対して電気的に接続された電線接続部１２２と、が設けられている。この例示では、上記の雄型の相手側端子（端子２１２）に合わせて端子接続部１２１が雌型に成形され、かつ、電線２２０を圧着させるように電線接続部１２２が成形されている。
【００２３】
また、バスバ１３０は、例えば、導電性の金属の板材（例えば銅板）を母材にして成形した板状のものであり、複数の相手側端子（電子部品２１０の端子２１２）を電気的に接続させることができる。このバスバ１３０は、端子部１３１と連結部１３２とを有する（図３）。端子部１３１は、相手側端子に対する電気的な接続を可能にする部位であり、接続対象となる相手側端子の数量に合わせて複数設けられている。連結部１３２は、これら複数の端子部１３１を連結させる部位であり、隣り合う端子部１３１の間を繋いでいる。この例示の端子部１３１は、上記の雄型の相手側端子（端子２１２）に合わせて、板状の音叉端子として成形されている。それぞれの端子部１３１は、各々の相手側端子との接続方向を互いに一致させるべく、同一平面上で互いに間隔を空けて一列に並べて配置されている。この例示の連結部１３２は、それぞれの端子部１３１の根元（相手側端子が挿入される側とは逆側の端部）を互いに同一平面上で繋ぐ矩形の板状部である。
【００２４】
ここで、この例示のバスバ１３０は、その同一平面上の端子部１３１と連結部１３２とに交差する別の板状部を有しており、この板状部を電線２２０に対して電気的に接続される電線接続部１３３として利用する。その電線接続部１３３は、例えば、電線２２０の図示しないハーネス端子（上記の連結端子１２０とは別のもの）に対して電気的に接続される端子部であってもよく、電線２２０の端部を溶着させることで互いを電気的に接続させるものであってもよい。この例示では、端子部としての電線接続部１３３が設けられている。例えば、このバスバ１３０を介して電子部品２１０側に給電する場合には、このバスバ１３０の電線接続部１３３が給電端子部１３３となり、この給電端子部１３３が後述する電源側に電気的に接続される。このため、この場合には、この給電端子部１３３に嵌合されるハーネス端子が給電端子（図示略）となり、その給電端子が電線２２０を介して電源側に電気的に接続される。
【００２５】
端子収容体１は、例えば、電気接続箱、又は、電子部品２１０と電線２２０との間に介在させた接続体（所謂ブロックの如きもの）として構成される。
【００２６】
電気接続箱とは、少なくとも端子１１０と電子部品２１０とが内部に収容及び保持される箱体を有するものであり、その内部において端子１１０と電子部品２１０の端子２１２とを電気的に接続させる。この電気接続箱においては、端子１１０に対して直接的又は間接的に且つ電気的に接続された電線２２０が外部に引き出されている。ワイヤハーネスＷＨは、少なくとも電気接続箱と端子１１０と電子部品２１０と電線２２０とによって構成される。このワイヤハーネスＷＨは、例えば、車両に配設され、図示しない電源（二次電池）側や負荷としての電気機器（アクチュエータ等）側などに各々割り当てた電線２２０を介して繋がれる。
【００２７】
端子収容体１を接続体として構成する場合には、例えば、連結端子１２０（ハーネス端子）と共に電線２２０の端部を接続体（端子収容体１）に収容し、この電線２２０を接続体（端子収容体１）から外部に引き出すことで、電子部品２１０を接続対象とするコネクタを成すことができる。また、これとは別の接続体として端子収容体１を構成する場合には、例えば、複数の電子部品２１０を接続体（端子収容体１）に保持させることで、複数の電子部品２１０の集合体である電子部品ユニットを成すことができる。その電子部品ユニットにおいては、連結端子１２０（ハーネス端子）を接続体（端子収容体１）の内部に収容及び保持させることによって、この連結端子１２０が電子部品２１０の端子２１２に対して電気的に接続される。また、これらの如き接続体（端子収容体１）は、電気接続箱の箱体の内部に収容及び保持されるものであってもよい。
【００２８】
端子収容体１は、具体的に、合成樹脂等の絶縁性材料で成形された本体１０を有する（図２及び図３）。その本体１０には、連結端子１２０を収容できる空間であり、複数の連結端子１２０毎に設けた端子収容室２１が形成されている。この例示の端子収容体１においては、全ての端子収容室２１を方体状に成形している。それぞれの端子収容室２１は、連結端子１２０の挿入方向が各々同じ向きになるように成形している。連結端子１２０は、端子接続部１２１側から挿入口２２を介して端子収容室２１に挿入される。
【００２９】
また、この例示の端子収容体１は、複数の端子収容室２１が一列に配置された第１収容室群２０Ａと第２収容室群２０Ｂとを少なくとも有している（図２及び図３）。その第１収容室群２０Ａと第２収容室群２０Ｂは、各々の複数の端子収容室２１が連結端子１２０の挿入方向に対する直交方向に沿って並べられている。第１収容室群２０Ａと第２収容室群２０Ｂは、その相互間において、隣り合いながら対になる端子収容室２１の組み合わせを複数有している。例えば、この例示の第２収容室群２０Ｂは、第１収容室群２０Ａのそれぞれの端子収容室２１と個別に対になる同数の端子収容室２１を有する。言うなれば、この例示の端子収容体１においては、それぞれの端子収容室２１が格子状に配置されている。その対となる端子収容室２１に収容された２つの連結端子１２０は、一方が電子部品２１０の一方の端子２１２に対して電気的に接続され、他方がその電子部品２１０の他方の端子２１２に対して電気的に接続される。
【００３０】
ところで、先に説明したように、互いに関連性のある車両間においては、端子１１０のみが収容される端子収容体と、少なくともバスバ１３０が収容される端子収容体と、が使い分けられることがある。
【００３１】
例えば、従来、低電圧のみが印加される場合には、これに対応する電子部品２１０の端子２１２に対して、連結端子１２０（ハーネス端子）に接続された電線２２０を繋げることができる。この場合、端子収容体には、電子部品２１０の端子２１２に応じた連結端子１２０毎の複数の端子収容室が形成される。これに対して、高電圧が印加される場合には、これに対応する電子部品２１０の端子２１２に対して、電線２２０よりも高効率の電源供給が可能なバスバ１３０を接続させることがある。この場合、端子収容体には、そのバスバ１３０が収容される端子収容室が形成される。
【００３２】
また、例えば、端子収容体に少量のヒューズ（電子部品２１０）が接続される仕様の車両では、各ヒューズの正負それぞれの極性の端子２１２に合わせて、その端子２１２毎に連結端子１２０が収容される端子収容体を用意すればよい。これに対して、この車両よりもヒューズの数量の多い仕様の車両では、例えば、連結端子１２０の端子収容体への収容作業性を鑑みた上で、ヒューズにおける一方の極性の端子２１２に対して電気的に接続させるヒューズ毎の連結端子１２０と、各ヒューズにおける他方の極性の端子２１２に対して電気的に接続させる１つのバスバ１３０と、が収容される端子収容体を用意すればよい。この車両の端子収容体には、連結端子１２０毎の複数の端子収容室と、バスバ１３０が収容される端子収容室と、が形成されている。
【００３３】
これらのように、従来は、車両の仕様毎に別形状の端子収容体を用意しなければならない場合がある。
【００３４】
そこで、本実施形態の端子収容体１は、連結端子１２０とバスバ１３０の端子部１３１とで端子収容室２１の共用を可能にし、その共用化された端子収容室（以下、「共用収容室」という。）２１Ｃに対して、例えば車両の仕様に応じて連結端子１２０を収容したりバスバ１３０の端子部１３１を収容したりすることができるように構成する。
【００３５】
端子収容体１は、連結端子１２０と１枚のバスバ１３０における１つの端子部１３１とを入れ替えて収容可能で、かつ、そのバスバ１３０のそれぞれの端子部１３１毎に割り当てられた複数の共用収容室２１Ｃを有する。端子収容体１においては、全ての端子収容室２１を共用収容室２１Ｃとして設定してもよく、その全ての端子収容室２１の内の一部の複数の端子収容室２１を共用収容室２１Ｃとして設定してもよい。本実施形態の端子収容体１においては、第１収容室群２０Ａと第２収容室群２０Ｂの内の少なくとも一方における複数の端子収容室２１を共用収容室２１Ｃとして形成する。この例示では、第１収容室群２０Ａの各端子収容室２１を連結端子１２０のみが収容可能な空間とし、第２収容室群２０Ｂの各端子収容室２１を連結端子１２０とバスバ１３０との入れ替えが可能な共用収容室２１Ｃとして形成している（図２から図５）。この例示のバスバ１３０は、各共用収容室２１Ｃに対して、連結端子１２０の挿入方向と同じ向きで挿入させる。
【００３６】
この端子収容体１において、全ての端子収容室２１の内の複数の共用収容室２１Ｃであり、その内の隣り合う共用収容室２１Ｃの間の間仕切り壁２３には、バスバ１３０の連結部１３２を共用収容室２１Ｃに収容させるべく、このバスバ１３０の端子部１３１の共用収容室２１Ｃへの収容状態のときに連結部１３２が挿入されている挿入部（以下、「室間挿入部」という。）２３ａを形成する（図４から図８）。その室間挿入部２３ａは、間仕切り壁２３の挿入口２２側の端部からバスバ１３０の挿入方向に向けて延在させた空間である。例えば、この室間挿入部２３ａは、間仕切り壁２３の挿入口２２側の端部からバスバ１３０の挿入方向に向けて切り欠いたスリット状の切欠き部であり、壁面間の幅を連結部１３２の板厚よりも広く形成している。
【００３７】
また、この例示の端子収容体１には、バスバ１３０の電線接続部１３３を収容する収容室３０が設けられている（図３）。このため、室間挿入部２３ａは、この収容室３０と当該収容室３０に隣り合う共用収容室２１Ｃとの間の間仕切り壁２４にも設けている。例えば、前述したようにバスバ１３０を介して電子部品２１０側に給電する場合、その収容室３０においては、バスバ１３０の給電端子部１３３と先に示した給電端子（電源側の電線２２０に繋がれたハーネス端子）とが収容され、その室内で給電端子部１３３と給電端子が物理的且つ電気的に接続されている。この場合には、収容室３０が給電端子収容室となる。
【００３８】
ここで、本実施形態の端子収容体１には、端子収容室２１に収容された連結端子１２０を保持する保持部（以下、「端子保持部」という。）４０が設けられている（図４から図６及び図８）。また、この端子収容体１には、共用収容室２１Ｃに収容されたバスバ１３０を保持する保持部（以下、「バスバ保持部」という。）５０が設けられている（図４から図８）。
【００３９】
端子保持部４０は、端子収容室２１毎に設ける。この端子保持部４０は、端子収容室２１で突出させ、この端子収容室２１に収容された連結端子１２０の被係止部１２３を係止する係止部として形成する。この例示の被係止部１２３には、端子接続部１２１の端部（相手側端子が挿入される側とは逆側の端部）に形成されている辺部を利用する（図２）。
【００４０】
この端子保持部４０は、例えば、被係止部１２３を係止する係止部としての爪部４１と、この爪部４１を端子収容室２１の内壁面（以下、「第１内壁面」という。）２１ａに連結させる支持部４２と、を有する（図７及び図８）。ここでは、第１収容室群２０Ａや第２収容室群２０Ｂの各端子収容室２１の配列方向で対向する２つの内壁面の内の一方が第１内壁面２１ａとなる。
【００４１】
支持部４２は、その第１内壁面２１ａの挿入口２２側を根元とし、連結端子１２０の端子収容室２１への挿入方向に向けて延在させる。この支持部４２は、その根元を支点にして第１内壁面２１ａ側に傾倒し得るよう可撓性を持たせる。爪部４１は、その支持部４２の延在方向における端部に設ける。この爪部４１は、第１内壁面２１ａと対向する内壁面（以下、「第２内壁面」という。）２１ｂ側に向けて突出させている。この端子保持部４０は、端子収容室２１における別の対向する（つまり上記の対となる端子収容室２１の配列方向で対向する）２つの内壁面（以下、「第３及び第４の内壁面」という。）２１ｃ，２１ｄの間に配置する（図６）。この例示では、その間の略中央に端子保持部４０を配置している。
【００４２】
第２収容室群２０Ｂの各端子収容室２１（各共用収容室２１Ｃ）においては、バスバ１３０の共用収容室２１Ｃ及び室間挿入部２３ａへの収容を阻害しないように端子保持部４０を設ける。例えば、この例示では、第３及び第４の内壁面２１ｃ，２１ｄの間の略中央に端子保持部４０を配置している。そして、第２収容室群２０Ｂの各端子収容室２１（各共用収容室２１Ｃ）においては、第３及び第４の内壁面２１ｃ，２１ｄの間の略中央にバスバ１３０の端子部１３１や連結部１３２が収容される。このため、この例示では、端子保持部４０に、端子部１３１の共用収容室２１Ｃへの収容状態のときにバスバ１３０の端子部１３１と連結部１３２の内の少なくとも一方が挿入されている挿入部（以下、「室内挿入部」という。）６０を形成する（図６）。その室内挿入部６０は、端子保持部４０の挿入口２２側の端部（つまり端子保持部４０の支持部４２の根元）からバスバ１３０の挿入方向に向けて延在させた空間である。例えば、この室内挿入部６０は、端子保持部４０の挿入口２２側の端部からバスバ１３０の挿入方向に向けて切り欠いたスリット状の切欠き部であり、壁面間の幅をバスバ１３０の端子部１３１や連結部１３２の板厚よりも広く形成している。この例示の室内挿入部６０は、室間挿入部２３ａと同一平面上に配置されており、この室間挿入部２３ａに連接されている。また、この例示の室内挿入部６０は、端子保持部４０を２分割した２つの保持体４０ａ，４０ｂとして形成される位置まで延在させている。これにより、共用収容室２１Ｃにおいては、バスバ１３０の共用収容室２１Ｃ及び室間挿入部２３ａへの収容を阻害せずとも、連結端子１２０を保持することが可能な端子保持部４０を設けることができる。
【００４３】
一方、端子収容室２１においては、端子保持部４０を第３内壁面２１ｃと第４内壁面２１ｄの内の何れか一方に寄せて配置し、その内の他方と端子保持部４０との間に隙間を設けることも可能である。そして、この場合の共用収容室２１Ｃにおいては、その隙間を少なくとも室間挿入部２３ａと同一平面上に存在させることによって、この隙間を室内挿入部６０として利用することができる。よって、この場合の共用収容室２１Ｃにおいても、端子保持部４０は、バスバ１３０の共用収容室２１Ｃ及び室間挿入部２３ａへの収容を阻害せずとも、連結端子１２０を保持することができる。
【００４４】
これらのように端子保持部４０を形成することで、連結端子１２０は、端子収容室２１への挿入が進むに連れて、端子接続部１２１が端子保持部４０の爪部４１に押圧力を加え、支持部４２を爪部４１の突出している側とは逆側（つまり第１内壁面２１ａ側）に傾倒させることができる。そして、端子保持部４０においては、連結端子１２０の挿入と共に被係止部１２３が爪部４１を乗り越えた際に、支持部４２の傾倒状態が解消され、爪部４１と支持部４２が初期位置（連結端子１２０の挿入前の位置）に向けて戻ることになる。これにより、端子収容室２１においては、連結端子１２０が引抜方向（つまり挿入方向とは逆向き）に動いて室内から離脱しないように、爪部４１が被係止部１２３を係止することになる（図９）。更に、端子収容室２１には、連結端子１２０が挿入方向へと進みすぎないように所定位置で係止する係止壁２５を設けている（図７から図１０）。一方、第２収容室群２０Ｂの各端子収容室２１（各共用収容室２１Ｃ）においては、室間挿入部２３ａと室内挿入部６０とが形成されているので、連結端子１２０に替えてバスバ１３０を収容することができる。
【００４５】
次に、バスバ１３０を保持するバスバ保持部５０について説明する。バスバ保持部５０は、端子収容体１に対して少なくとも２箇所に設ける。例えば、バスバ１３０が複数の共用収容室２１Ｃのみに跨がって配置されている場合には、その複数の共用収容室２１Ｃの内の少なくとも２箇所にバスバ保持部５０を設ける。一方、バスバ１３０が共用収容室２１Ｃ以外の空間（この例示で言うところのバスバ１３０の電線接続部１３３を収容する収容室３０等）にも跨がって配置されている場合には、その空間にバスバ保持部５０を設けてもよい。以下に、このバスバ保持部５０の具体例について説明する。ここでは、共用収容室２１Ｃ（室内挿入部６０も含む）又は室間挿入部２３ａに設けるバスバ保持部５０を例に挙げる。
【００４６】
バスバ保持部５０は、共用収容室２１Ｃの内部に存在している壁面又は室間挿入部２３ａの壁面から突出させて設ける。共用収容室２１Ｃの内部に存在している壁面とは、この共用収容室２１Ｃを構成する内壁面（第１から第４の内壁面２１ａ〜２１ｄ）、及び、この共用収容室２１Ｃに配置されている端子保持部４０を構成する壁面（室内挿入部６０の壁面も含む）のことをいう。室間挿入部２３ａの壁面とは、この室間挿入部２３ａを構成する壁面のことをいう。室内挿入部６０の壁面とは、この室内挿入部６０を構成する壁面のことをいう。バスバ保持部５０は、これらの内の何れかの壁面から突出させ、バスバ１３０の端子部１３１が共用収容室２１Ｃに収容された際に、このバスバ１３０の被係止部１３４を係止する係止部として形成する。この例示の被係止部１３４には、連結部１３２における一方の端部（端子部１３１が設けられている側とは逆側の端部）を利用する（図３）。
【００４７】
この例示のバスバ保持部５０は、被係止部１３４を係止する爪部５１と、この爪部５１を上記の何れかの壁面に連結させる支持部５２と、を有する（図７）。例えば、バスバ保持部５０は、端子保持部４０が設けられた第１内壁面２１ａを有する壁部に設ける。その壁部とは、隣り合う共用収容室２１Ｃの間の間仕切り壁２３や収容室３０に関わる間仕切り壁２４のことである。
【００４８】
バスバ保持部５０は、この壁部における第１内壁面２１ａや室間挿入部２３ａの壁面に支持部５２の根元を設ける。支持部５２は、その根元からバスバ１３０の共用収容室２１Ｃへの挿入方向とは逆側に向けて延在させる。この例示では、端子保持部４０の支持部４２の根元とバスバ保持部５０の支持部５２の根元を互いに近づけて配置し、それぞれの支持部４２，５２を各々の根元から互いに逆向きに延在させている（図７）。この支持部５２は、その根元を支点にして傾倒し得るよう可撓性を持たせる。ここで、共用収容室２１Ｃにおける端子保持部４０には、先に示したように、室間挿入部２３ａと同一平面上に配置されたスリット状の切欠き部（室内挿入部６０）が形成されている。この例示では、バスバ保持部５０の支持部５２が配置されている側にも、その室間挿入部２３ａ又は／及び室内挿入部６０を同一平面上で延在させている。その延在側では、室間挿入部２３ａ又は／及び室内挿入部６０における互いに対向する壁面の内の一方が支持部５２の壁面も兼ねている。つまり、その支持部５２は、室間挿入部２３ａ又は室内挿入部６０から見て、第３内壁面２１ｃ側又は第４内壁面２１ｄ側に設ける。
【００４９】
爪部５１は、その支持部５２の延在方向における端部に設ける。この爪部５１は、先に示した第３内壁面２１ｃ側に支持部５２を設けた場合、この支持部５２の壁面であり、かつ、室間挿入部２３ａ又は／及び室内挿入部６０における互いに対向する壁面の内の第３内壁面２１ｃ側の壁面から第４内壁面２１ｄ側に向けて突出させる。また、この爪部５１は、先に示した第４内壁面２１ｄ側に支持部５２を設けた場合、この支持部５２の壁面であり、かつ、室間挿入部２３ａ又は／及び室内挿入部６０における互いに対向する壁面の内の第４内壁面２１ｄ側の壁面から第３内壁面２１ｃ側に向けて突出させる。ここでは、前者を例示している。
【００５０】
端子収容体１においては、このような位置にバスバ保持部５０を配置することによって、共用収容室２１Ｃの拡張を図らずとも且つ共用収容室２１Ｃから食み出させずともバスバ保持部５０を設けることができるので、体格の大型化を抑えることができる。
【００５１】
ここで、前述したように、共用収容室２１Ｃにおいては、端子保持部４０を第３内壁面２１ｃと第４内壁面２１ｄの内の何れか一方に寄せて配置し、その内の他方と端子保持部４０との間に室内挿入部６０を設ける場合もある。この場合でも、バスバ保持部５０は、共用収容室２１Ｃ（室内挿入部６０も含む）又は室間挿入部２３ａで突出されるように、共用収容室２１Ｃの何れかの内壁面（第１から第４の内壁面２１ａ〜２１ｄの内の少なくとも１つ）を成す壁部から突出させて設ける。
【００５２】
第２収容室群２０Ｂの各端子収容室２１（各共用収容室２１Ｃ）においては、連結端子１２０の共用収容室２１Ｃへの収容を阻害しないようにバスバ保持部５０を設ける。例えば、この例示では、連結端子１２０の共用収容室２１Ｃへの挿入軌跡から外れた位置にバスバ保持部５０を配置している。
【００５３】
バスバ１３０は、挿入口２２側から第２収容室群２０Ｂの各共用収容室２１Ｃ（室内挿入部６０も含む）と室間挿入部２３ａとに挿入され、その挿入が進むに連れて、端子部１３１や連結部１３２がバスバ保持部５０の爪部５１に押圧力を加え、支持部５２を爪部５１の突出している側とは逆側に傾倒させる。そして、バスバ保持部５０においては、バスバ１３０の挿入と共に連結部１３２が爪部５１を乗り越えた際に、支持部５２の傾倒状態が解消され、爪部５１と支持部５２が初期位置（バスバ１３０の挿入前の位置）に向けて戻ることになる。これにより、各共用収容室２１Ｃにおいては、バスバ１３０が引抜方向（つまり挿入方向とは逆向き）に動いて室内から離脱しないように、爪部５１が被係止部１３４を係止することになる（図１０）。更に、各共用収容室２１Ｃにおいては、バスバ１３０が挿入方向へと進みすぎないように所定位置で係止する係止壁２６を設けている（図７から図１０）。
【００５４】
ここで、端子収容体１には、電子部品２１０を収容する電子部品収容室２７が設けられている（図１）。例えば、その電子部品収容室２７は、収容対象となる電子部品２１０毎に用意される。電子部品収容室２７は、上記の対となる２つの端子収容室２１に連通させたものであり、具体的に電子部品本体２１１を収容する。この例示の電子部品２１０は、電子部品本体２１１が電子部品収容室２７に収容されているときに、それぞれの端子２１２を端子収容室２１に各々収容させる。その際には、第１収容室群２０Ａの端子収容室２１に収容された一方の端子２１２が連結端子１２０に対して電気的に接続され、第２収容室群２０Ｂの共用収容室２１Ｃに収容された他方の端子２１２が端子１１０（連結端子１２０又はバスバ１３０の端子部１３１）に対して電気的に接続される。
【００５５】
以上示したように、本実施形態の端子収容体１は、バスバ１３０の挿入が可能な室間挿入部２３ａを設けると共に、このバスバ１３０の収容を阻害せずに連結端子１２０を保持する端子保持部４０を設けているので、連結端子１２０とバスバ１３０とで端子収容室２１の共用化が可能になる。このため、この端子収容体１は、例えば、車両の仕様毎に連結端子１２０とバスバ１３０とを適宜使い分けることができるので、仕様の異なる車両間においての共用化が可能になる。よって、この端子収容体１は、作業場での端子１１０や電子部品２１０等の組付け作業に関わる管理を簡便なものとすることができるので、原価を低減させることができる。
【００５６】
［変形例１］
図１１の符号２は、本変形例の端子収容体を示す。その端子収容体２は、実施形態と同じように、電気接続箱、又は、電子部品２１０（本変形例では図示略）と電線２２０（本変形例では図示略）との間に介在させた接続体（所謂ブロックの如きもの）として構成することができる。例えば、電気接続箱として構成された場合には、その電気接続箱と端子１１０（連結端子１２０やバスバ１３０）と電子部品２１０と電線２２０と共にワイヤハーネスＷＨ（本変形例では図示略）を構成する。
【００５７】
この端子収容体２においては、実施形態の端子収容体１のように、第１収容室群２０Ａの方体状の端子収容室２１と第２収容室群２０Ｂの方体状の端子収容室２１（共用収容室２１Ｃ）の一対の組み合わせが少なくとも複数組配列されている。但し、この端子収容体２では、実施形態の端子収容体１とは異なり、第３内壁面２１ｃと第４内壁面２１ｄとの対向している方向に沿って、第１収容室群２０Ａの複数の端子収容室２１と第２収容室群２０Ｂの複数の端子収容室２１（共用収容室２１Ｃ）とが一列に並べられている。この端子収容体２においても、端子１１０は、連結端子１２０であるかバスバ１３０の端子部１３１であるかに拘わらず、共通の挿入口２２を介して端子収容室２１へと同一方向に挿入される。尚、本図では、第１収容室群２０Ａの端子収容室２１と第２収容室群２０Ｂの端子収容室２１（共用収容室２１Ｃ）の一対の組み合わせのみを抜き出している。
【００５８】
それぞれの端子収容室２１には、第２内壁面２１ｂに向けて突出させた爪部４１と、この爪部４１を第１内壁面２１ａに連結させるものであり、第１内壁面２１ａを有する壁部の挿入口２２側を根元とし、連結端子１２０の端子収容室２１への挿入方向に向けて延在させた支持部４２と、を有する実施形態と同様の端子保持部４０が設けられている。その端子保持部４０は、第３内壁面２１ｃと第４内壁面２１ｄとの間（この例示では、その間の略中央）に配置している。
【００５９】
本変形例では、第３内壁面２１ｃと第４内壁面２１ｄとの対向している方向に沿って第２収容室群２０Ｂの複数の端子収容室２１（共用収容室２１Ｃ）を配列し、これらの共用収容室２１Ｃにバスバ１３０のそれぞれの音叉端子としての端子部１３１を収容させる。このため、この端子収容体２では、隣り合う共用収容室２１Ｃの間において、第３内壁面２１ｃや第４内壁面２１ｄを有する壁部が間仕切り壁２３となり、この間仕切り壁２３に室間挿入部２３ａを形成する。その室間挿入部２３ａは、実施形態と同様に、端子部１３１の共用収容室２１Ｃへの収容状態のときにバスバ１３０の連結部１３２が挿入されている空間であり、間仕切り壁２３の挿入口２２側の端部からバスバ１３０の挿入方向に向けて延在させている。この室間挿入部２３ａは、例えば、間仕切り壁２３の挿入口２２側の端部からバスバ１３０の挿入方向に向けて切り欠いたスリット状の切欠き部であり、壁面間の幅を連結部１３２の板厚よりも広く形成している。
【００６０】
この室間挿入部２３ａを形成する位置は、共用収容室２１Ｃにおいて、端子保持部４０と第２内壁面２１ｂとの間に端子部１３１が配置されるように（つまり収容された端子部１３１を端子保持部４０に当接させないように）決める。別の見方をするならば、その端子保持部４０と第２内壁面２１ｂとの間には、端子部１３１の共用収容室２１Ｃへの収容状態のときにバスバ１３０が挿入されている室内挿入部を設けていると言える。このため、共用収容室２１Ｃの端子保持部４０は、バスバ１３０の共用収容室２１Ｃ及び室間挿入部２３ａへの収容を阻害しないように配置されることになる。
【００６１】
尚、図示しないが、この端子収容体２は、端子部１３１が共用収容室２１Ｃに収容されたバスバ１３０を保持する第２保持部も備えている。その第２保持部は、例えば実施形態と同等の爪部と支持部とを有するものであり、複数の共用収容室２１Ｃの内の少なくとも２箇所に、連結端子１２０の共用収容室２１Ｃへの収容を阻害しないように設けている。この第２保持部は、連結端子１２０の共用収容室２１Ｃへの挿入軌跡から外れた位置に配置する。例えば、第２保持部は、第３内壁面２１ｃ、第４内壁面２１ｄ又は室間挿入部２３ａの壁面等から突出させる。
【００６２】
このように成形することで、その端子収容体２は、連結端子１２０とバスバ１３０とで端子収容室２１の共用化が可能になるので、共用化された共用収容室２１Ｃに対して、連結端子１２０とバスバ１３０の端子部１３１を適宜入れ替えて収容及び保持することができる。例えば、端子収容体２は、共用収容室２１Ｃに対して連結端子１２０が収容されるときに（図１２）、電子部品２１０の板状の端子２１２を電気的に接続させることができる一方、共用収容室２１Ｃに対してバスバ１３０の端子部１３１が収容されるときに（図１３）、電子部品２１０の板状の端子２１２を電気的に接続させることができる。よって、この端子収容体２は、実施形態の端子収容体１と同様の効果を得ることができる。そして、本変形例のワイヤハーネスＷＨは、その端子収容体２を備えるものであるので、その端子収容体２の効果を奏することができる。
【００６３】
［変形例２］
図１４から図１９の符号３は、本変形例の端子収容体を示す。その端子収容体３は、実施形態や変形例１と同じように、電気接続箱、又は、例えば電子部品２１０と電線２２０（後述する回路構成図で図示）との間に介在させた接続体（所謂ブロックの如きもの）として構成することができる。この端子収容体３は、実施形態や変形例１と同じように、電気接続箱として構成された場合、収容される端子１１０等と共にワイヤハーネスＷＨ（本変形例では図示略）を構成することができる。尚、本変形例では、説明の便宜上、実施形態や変形例１のものと比較して、形状や数量、配置等に違いがあるとしても、その本質的な機能が同じものであるならば、そのものを実施形態や変形例１と同じ符号を付して示すことにする。
【００６４】
ここで、実施形態の端子収容体１や変形例１の端子収容体２は、それぞれに、電子部品２１０の端子２１２と端子１１０（連結端子１２０又はバスバ１３０）との電気的な接続関係を構築させるための端子収容室２１を複数備えており、その端子収容室２１の内の幾つかが共用収容室２１Ｃ（連結端子１２０とバスバ１３０の端子部１３１とを適宜入れ替えて収容可能な部屋）となるように形成されている。つまり、実施形態の端子収容体１や変形例１の端子収容体２は、自らが有する全ての端子収容室２１から成る空間であって、電子部品２１０の端子２１２と端子１１０（連結端子１２０又はバスバ１３０）との電気的な接続関係を適宜変えることが可能なもの（以下、「電気接続空間」という。）を１つ備えている。その電気接続空間では、例えば、それぞれの端子収容室２１に電子部品２１０の端子２１２が１つずつ収容されている場合、その端子収容室２１に連結端子１２０を挿入することで、１つの端子２１２と１つの連結端子１２０とを一対の組み合わせとして電気的に接続することができる。また、この電気接続空間では、その場合、複数の端子収容室２１に１つのバスバ１３０の端子部１３１を１つずつ挿入することで、その複数の端子収容室２１の端子２１２間をバスバ１３０で電気的に接続したり、その複数の端子収容室２１の端子２１２にバスバ１３０で給電したりすることができる。
【００６５】
本変形例においても、端子収容体３は、そのような実施形態や変形例１と同様の電気的な接続関係を適宜変えることが可能な空間を備える。但し、本変形例の端子収容体３においては、その空間が複数の電気接続空間２０で構成されており、その電気接続空間２０が複数並べて配置される。例えば、端子収容体３は、複数の電気接続空間２０が直列に並べて配置されるものもあれば、複数の電気接続空間２０がＬ字状に並べて配置されるものもあれば、複数の電気接続空間２０が格子状に並べて配置されるものもある。また、この端子収容体３は、同一の構成の電気接続空間２０のみを複数並べたものであってもよく、複数種類の電気接続空間２０を混在させた状態で並べたものであってもよい。同一の構成の電気接続空間２０とは、それぞれの電気接続空間２０において、各々、同一の組み合わせの複数の端子収容室２１が同一の配置で設けられたもののことをいう。また、複数種類の電気接続空間２０とは、例えば、それぞれの電気接続空間２０において、各々、同一の組み合わせの複数の端子収容室２１が異なる配置で設けられたもの、異なる組み合わせの複数の端子収容室２１で構成されたものなどのことをいう。
【００６６】
例えば、この端子収容体３は、実施形態の端子収容体１における電気接続空間や変形例１の端子収容体２における電気接続空間を複数並べて配置する。このため、この端子収容体３は、それぞれの電気接続空間２０において、電子部品２１０の端子２１２と連結端子１２０との間での電気的な接続（図１５から図１９）、複数の電子部品２１０の端子２１２同士の電気的な接続（図１７及び図１８）、及び、複数の電子部品２１０の端子２１２への給電（図１７及び図１８）を行うことができる。
【００６７】
この端子収容体３は、そのような実施形態や変形例１と同様の電気的な接続関係の他に、自らの複数の電気接続空間２０の内、互いに隣り合う少なくとも２つの電気接続空間２０に収容された複数の電子部品２１０の端子２１２間を１つのバスバ（以下、「連接バスバ」という。）１４０で電気的に接続したり、互いに隣り合う少なくとも２つの電気接続空間２０に収容された複数の電子部品２１０の端子２１２に１つの連接バスバ１４０で給電したりすることができるように構成する（図１９）。その連接バスバ１４０は、複数の電気接続空間２０の内の隣り合う少なくとも２つの端子収容室２１の間での電気的な接続や給電を行うための部材であり、先に示した端子１１０の一例である。端子収容体３は、その隣り合う少なくとも２つの電気接続空間２０に渡って１枚の板状の連接バスバ１４０を収容し得るように形成する。
【００６８】
ここで、連接バスバ１４０は、例えば、導電性の金属の板材（例えば銅板）を母材にして成形した板状のものであり、複数の相手側端子（電子部品２１０の端子２１２）を電気的に接続させることができる。この連接バスバ１４０は、端子部１４１と連結部１４２とを有する（図１９及び図２１）。端子部１４１は、相手側端子に対する電気的な接続を可能にする部位であり、接続対象となる相手側端子の数量に合わせて複数設けられている。連結部１４２は、これら複数の端子部１４１を連結させる部位であり、隣り合う端子部１４１の間を繋いでいる。この例示の端子部１４１は、バスバ１３０と同じように、雄型の相手側端子（端子２１２）に合わせて、板状の音叉端子として成形されている。それぞれの端子部１４１は、各々の相手側端子との接続方向を互いに一致させるべく、同一平面上で互いに間隔を空けて一列に並べて配置されている。この例示の連結部１４２は、それぞれの端子部１４１の根元（相手側端子が挿入される側とは逆側の端部）を互いに同一平面上で繋ぐ矩形の板状部である。
【００６９】
本変形例の端子収容体３においては、互いに隣り合う２つの電気接続空間２０におけるそれぞれの共用収容室２１Ｃの内、一方の電気接続空間２０における少なくとも１つの共用収容室２１Ｃと他方の電気接続空間２０における少なくとも１つの共用収容室２１Ｃとを各々連接収容室と定める。連接収容室とは、複数の電気接続空間２０の間で互いに連通状態で繋がっている共用収容室２１Ｃのことであり、連接バスバ１４０の端子部１４１が収容される。それぞれの連接収容室は、連結端子１２０とバスバ１３０における１つの端子部１３１と連接バスバ１４０における１つの端子部１４１とを入れ替えて収容し得るように形成する。
【００７０】
この端子収容体３は、互いに隣り合う２つの電気接続空間２０におけるそれぞれの連接収容室の内、一方の電気接続空間２０における連接収容室と他方の電気接続空間２０における連接収容室の隣り合うもの同士の室間を互いに連通させ、その隣り合う連接収容室同士の室間に渡って連接バスバ１４０を収容できるように形成する。このために、この端子収容体３は、その隣り合う連接収容室の間に、そのそれぞれの連接収容室の室間を連通させ、かつ、連接バスバ１４０の連結部１４２の一部を収容させる室間連通部７０を設けている（図１４から図１９）。その室間連通部７０は、隣り合う電気接続空間２０の間で互いに隣り合っている連接収容室同士の室間を連通させるものであり、かつ、連接バスバ１４０の連結部１４２を収容し得るものであるならば、如何様な形状に形成してもよい。例えば、この室間連通部７０は、連接収容室で端子部１４１と共に連結部１４２も収容されるように形成し、連接バスバ１４０が端子収容体３の内方に配置されるように形成する。
【００７１】
具体的に、この例示の端子収容体３では、同一の構成の２つの電気接続空間２０を並べて配置している（図１４から図１９）。ここでは、その双方の電気接続空間２０の内の一方を第１電気接続空間２０Ｘと称し、その内の他方を第２電気接続空間２０Ｙと称することがある。その第１電気接続空間２０Ｘと第２電気接続空間２０Ｙには、それぞれに、第１収容室群２０Ａを成す３つの端子収容室２１と、第２収容室群２０Ｂを成す３つの端子収容室２１（共用収容室２１Ｃ）と、が並列に配置されている（図１４及び図１５）。この例示では、その第２収容室群２０Ｂの３つの端子収容室２１（共用収容室２１Ｃ）を全て連接収容室として利用する。このため、この例示の連接収容室は、便宜上、共用収容室２１Ｃと同じ符号「２１Ｃ」を付して示す。
【００７２】
それぞれの端子収容室２１には、実施形態や変形例１と同様に、室内で連結端子１２０を保持する端子保持部４０が設けられている（図１５）。但し、本変形例の第２収容室群２０Ｂの端子収容室２１においては、実施形態や変形例１とは異なり、その端子保持部４０にスリット状の切欠き部（室内挿入部６０）を設けていない。
【００７３】
それぞれの電気接続空間２０においては、実施形態や変形例１で示したように、各々の隣り合う連接収容室２１Ｃの間の間仕切り壁２３に室間挿入部２３ａが形成されており（図１５）、バスバ１３０の端子部１３１（図１７、図１８及び図２０）が共用収容室（連接収容室）２１Ｃに収容されている状態で、連結部１３２が室間挿入部２３ａに挿入されている。その室間挿入部２３ａには、連接バスバ１４０の端子部１４１（図１９及び図２１）が共用収容室（連接収容室）２１Ｃに収容されている状態で、連結部１４２を挿入することもできる。尚、バスバ１３０は、第１電気接続空間２０Ｘの３つの共用収容室（連接収容室）２１Ｃに対応させた３つの端子部１３１を有している。また、連接バスバ１４０は、第１電気接続空間２０Ｘの３つの共用収容室（連接収容室）２１Ｃと第２電気接続空間２０Ｙの３つの共用収容室（連接収容室）２１Ｃとに対応させた６つの端子部１４１を有している。
【００７４】
ここで、本変形例においても、バスバ１３０は、実施形態や変形例１と同様の電線接続部１３３を有している（図１７、図１８及び図２０）。但し、本変形例のバスバ１３０においては、端子部１３１及び連結部１３２と電線接続部１３３とが平面同士を互いに間隔を空けて平行に配置されており、その連結部１３２を電線接続部１３３側に繋ぐ第１結合部１３５と、この第１結合部１３５を電線接続部１３３に繋ぐ第２結合部１３６と、が設けられている（図２０）。第１結合部１３５は、連結部１３２と電線接続部１３３のそれぞれの平面に対して直交状態で配置されている。第２結合部１３６は、電線接続部１３３と同一平面上に配置されている。このバスバ１３０においては、連結部１３２の端部と第２結合部１３６の端部（電線接続部１３３の配置とは逆側の端部）とが第１結合部１３５で繋がれている。
【００７５】
また、この例示の連接バスバ１４０は、そのバスバ１３０と同じように、同一平面上の端子部１４１及び連結部１４２に対して互いに間隔を空けて配置された板状部を有しており、この板状部を電線２２０に対して電気的に接続させる電線接続部１４３として利用している（図１９及び図２１）。その端子部１４１及び連結部１４２と電線接続部１４３とは、平面同士が平行に配置されている。その電線接続部１４３は、例えば、電線２２０のハーネス端子（連結端子１２０とは別のもの）に対して電気的に接続される端子部であってもよく、電線２２０の端部を溶着させることで互いを電気的に接続させるものであってもよい。この例示では、端子部としての電線接続部１４３が設けられており、電線２２０のハーネス端子が嵌合される。例えば、この連接バスバ１４０を介してそれぞれの電気接続空間２０の電子部品２１０側に給電する場合には、この連接バスバ１４０の電線接続部１４３が給電端子部１４３となり、この給電端子部１４３が電源側に電気的に接続される。
【００７６】
更に、この連接バスバ１４０は、連結部１４２を電線接続部１４３側に繋ぐ第１結合部１４５と、この第１結合部１４５を電線接続部１４３に繋ぐ第２結合部１４６と、が設けられている（図２１）。第１結合部１４５は、連結部１４２と電線接続部１４３のそれぞれの平面に対して直交状態で配置されている。第２結合部１４６は、電線接続部１４３と同一平面上に配置されている。この連接バスバ１４０においては、連結部１４２の端部と第２結合部１４６の端部（電線接続部１４３の配置とは逆側の端部）とが第１結合部１４５で繋がれている。つまり、この例示の連接バスバ１４０は、本変形例の２枚のバスバ１３０におけるそれぞれの端子部１３１や連結部１３２を同一平面上で同一方向に連ねた上で、一方の電線接続部１３３のみを設けたが如き形状を成しており、その端子部１３１と同一形状の複数の端子部１４１を同一平面上で矩形の連結部１４２によって繋いでいる。
【００７７】
この例示では、バスバ１３０と連接バスバ１４０のそれぞれの電線接続部１３３，１４３が給電端子部１３３，１４３として利用される。このため、この例示では、その給電端子部１３３，１４３に嵌合されるハーネス端子が給電端子１５０となり、その給電端子１５０が電線２２０を介して電源側に電気的に接続されている（図１７から図１９）。
【００７８】
この例示の端子収容体３には、バスバ１３０の電線接続部１３３を収容する収容室３０が電気接続空間２０毎に設けられている（図１４から図１９）。この例示では、その電線接続部１３３が給電端子部１３３として利用されるので、それぞれの収容室３０にバスバ１３０の給電端子部１３３と給電端子１５０とが収容される。それぞれの収容室３０では、その室内で給電端子部１３３と給電端子１５０が物理的且つ電気的に接続されている。また、第１電気接続空間２０Ｘの収容室３０には、連接バスバ１４０の電線接続部１４３を収容することもできる（図１９）。この例示では、その電線接続部１４３が給電端子部１４３として利用されるので、第１電気接続空間２０Ｘの収容室３０に連接バスバ１４０の給電端子部１４３と給電端子１５０とが収容される。この収容室３０では、その室内で給電端子部１４３と給電端子１５０が物理的且つ電気的に接続されている。
【００７９】
このように、この例示の収容室３０は、何れか一方の電線接続部（給電端子部）１３３，１４３と給電端子１５０とを収容する給電端子収容室３０として利用されている。このため、この例示では、それぞれの電線接続部（給電端子部）１３３，１４３を同一形状に形成する。更に、それぞれの収容室（給電端子収容室）３０は、少なくともバスバ１３０における電線接続部（給電端子部）１３３と連接バスバ１４０における電線接続部（給電端子部）１４３とを入れ替えて給電端子１５０と共に収容できるように形成する。そして、それぞれの収容室（給電端子収容室）３０は、その室内でバスバ１３０と連接バスバ１４０における何れか一方の電線接続部（給電端子部）１３３，１４３を給電端子１５０に対して電気的に接続し得るように形成する。
【００８０】
また、端子収容体３には、バスバ１３０の第１結合部１３５を収容する収容室８１と、バスバ１３０の第２結合部１３６を収容する収容室８２と、が電気接続空間２０毎に設けられている（図１５）。第１電気接続空間２０Ｘのそれぞれの収容室８１，８２には、連接バスバ１４０の第１結合部１４５と第２結合部１４６が各々収容される。この端子収容体３は、同一の電気接続空間２０において、互いに隣り合わせに配置された収容室８１と端子収容室２１（共用収容室２１Ｃ及び連接収容室２１Ｃとなるもの）との間、収容室８１と収容室８２との間、及び、収容室８２と収容室３０（給電端子収容室３０）との間に、室間挿入部２３ａを各々設けている。更に、この端子収容体３は、互いに隣り合わせに配置された第１電気接続空間２０Ｘの端子収容室２１（共用収容室２１Ｃ及び連接収容室２１Ｃとなるもの）と室間連通部７０との間、第２電気接続空間２０Ｙの収容室８１と室間連通部７０との間にも、室間挿入部２３ａを各々設けている。このため、この端子収容体３は、第１電気接続空間２０Ｘと第２電気接続空間２０Ｙとに各々バスバ１３０を収容することができると共に、その第１電気接続空間２０Ｘと第２電気接続空間２０Ｙとに渡って連接バスバ１４０を収容することができる。
【００８１】
ここで、本変形例のバスバ１３０と連接バスバ１４０には、収容状態で端子収容体３に保持するための被保持部１３７，１４７が設けられている（図２０、図２１）。そして、本変形例の端子収容体３には、その被保持部１３７，１４７を介してバスバ１３０や連接バスバ１４０を保持するバスバ保持部９０が設けられている（図１５）。この例示では、被保持部１３７，１４７を貫通孔として形成し、その貫通孔への挿入と共に貫通孔の壁面に引っ掛ける爪部９１を有するものとしてバスバ保持部９０を形成している。例えば、バスバ保持部９０は、可撓性を有する可撓部（図示略）の自由端側に爪部９１を設けている。
【００８２】
バスバ１３０は、連結部１３２における第１結合部１３５側とは逆側の端部に、連結部１３２と同一平面で端子部１３１の配列方向に沿って延出させた延出部１３８を有する（図２０）。このバスバ１３０においては、第２結合部１３６と延出部１３８とに１つずつ被保持部１３７を設ける。このため、収容室８２には、第２結合部１３６の収容と共に、この第２結合部１３６の被保持部１３７に挿入されるバスバ保持部９０が設けられている。一方、端子収容体３には、延出部１３８を収容する収容室８３が電気接続空間２０毎に設けられている（図１４から図１９）。その収容室８３の室内には、延出部１３８の被保持部１３７に挿入されるバスバ保持部９０が設けられている。本変形例の端子収容体３では、第１電気接続空間２０Ｘの収容室８３と室間連通部７０とを互いに共用しており、室間連通部７０にバスバ保持部９０が設けられている。
【００８３】
連接バスバ１４０は、連結部１４２における第１結合部１４５側とは逆側の端部に、連結部１４２と同一平面で端子部１４１の配列方向に沿って延出させた延出部１４８を有する（図２１）。この連接バスバ１４０においては、連結部１４２と第２結合部１４６と延出部１４８とに１つずつ被保持部１４７を設ける。連結部１４２の一部は、先に示したように室間連通部７０に収容される。このため、この連結部１４２の被保持部１４７は、室間連通部７０（第１電気接続空間２０Ｘの収容室８３）に設けたバスバ保持部９０の配置に合わせて形成し、このバスバ保持部９０の爪部９１を挿入させる。また、第２結合部１４６の被保持部１４７は、第１電気接続空間２０Ｘの収容室８２に設けたバスバ保持部９０の配置に合わせて形成し、このバスバ保持部９０の爪部９１を挿入させる。また、延出部１４８の被保持部１４７は、第２電気接続空間２０Ｙの収容室８３に設けたバスバ保持部９０の配置に合わせて形成し、このバスバ保持部９０の爪部９１を挿入させる。
【００８４】
以下に、本変形例の端子収容体３の使用例の一部を説明する。この説明では、第１電気接続空間２０Ｘと第２電気接続空間２０Ｙとにヒューズとしての電子部品２１０が３つずつ収容され、第１電気接続空間２０Ｘと第２電気接続空間２０Ｙの全ての端子収容室２１に電子部品２１０の端子２１２が１つずつ収容されているものとする。
【００８５】
本変形例の端子収容体３は、図１６に示すように全ての端子収容室２１に連結端子１２０を１つずつ収容することでき、これにより図２２に示す回路構成を作り出すことができる。例えば、この場合には、電子部品２１０の一方の端子２１２と他方の端子２１２とを繋ぐ回路が電子部品２１０毎に作られている。
【００８６】
また、本変形例の端子収容体３は、図１７に示すように、図１６の構成に対して、第１電気接続空間２０Ｘ（第２電気接続空間２０Ｙでもよい）における３つの共用収容室（連接収容室）２１Ｃの３つの連結端子１２０を１枚のバスバ１３０に置き換え、かつ、収容室（給電端子収容室）３０に給電端子１５０を収容することができる。これにより、この端子収容体３は、図２３に示す回路構成を作り出すことができる。この場合、本変形例の端子収容体３は、第１電気接続空間２０Ｘにおいて、電源を３つの給電経路に分配することができると共に、それぞれの給電経路上に電子部品（ヒューズ）２１０を介在させることができる。更に、この端子収容体３は、第２電気接続空間２０Ｙにおいて、電子部品２１０の一方の端子２１２と他方の端子２１２とを繋ぐ回路を電子部品２１０毎に作り出すことができる。
【００８７】
また、本変形例の端子収容体３は、図１８に示すように、図１６の構成に対して、第１電気接続空間２０Ｘにおける３つの共用収容室（連接収容室）２１Ｃの３つの連結端子１２０を１枚のバスバ１３０に置き換えると共に、第２電気接続空間２０Ｙにおける３つの共用収容室（連接収容室）２１Ｃの３つの連結端子１２０を１枚のバスバ１３０に置き換え、かつ、第１電気接続空間２０Ｘと第２電気接続空間２０Ｙの収容室（給電端子収容室）３０に給電端子１５０を各々収容することができる。これにより、この端子収容体３は、図２４に示す回路構成を作り出すことができる。この場合、本変形例の端子収容体３は、第１電気接続空間２０Ｘと第２電気接続空間２０Ｙの双方において、電源を３つの給電経路に分配することができると共に、それぞれの給電経路上に電子部品（ヒューズ）２１０を介在させることができる。
【００８８】
また、本変形例の端子収容体３は、図１９に示すように、図１６の構成に対して、第１電気接続空間２０Ｘと第２電気接続空間２０Ｙにおける全ての共用収容室（連接収容室）２１Ｃの全ての連結端子１２０を１枚の連接バスバ１４０に置き換え、かつ、第１電気接続空間２０Ｘの収容室（給電端子収容室）３０に給電端子１５０を収容することができる。これにより、この端子収容体３は、図２５に示す回路構成を作り出すことができる。この場合、本変形例の端子収容体３は、電源を第１電気接続空間２０Ｘと第２電気接続空間２０Ｙとに分配すると共に、その第１電気接続空間２０Ｘと第２電気接続空間２０Ｙの双方で電源を３つの給電経路に分配することができ、かつ、それぞれの給電経路上に電子部品（ヒューズ）２１０を介在させることができる。
【００８９】
以上示したように、本変形例の端子収容体３は、実施形態や変形例１と同様の電気接続空間２０を複数備えている。このため、この端子収容体３は、電気接続空間２０毎に連結端子１２０とバスバ１３０とで端子収容室２１の共用化が可能になる。よって、この端子収容体３は、それぞれの電気接続空間２０において、例えば、車両の仕様毎に連結端子１２０とバスバ１３０とを適宜使い分けることができるので、仕様の異なる車両間においての共用化が可能になる。従って、本変形例の端子収容体３は、電気接続空間２０毎に作業場での端子１１０や電子部品２１０等の組付け作業に関わる管理を簡便なものとすることができるので、原価を低減させることができる。
【００９０】
更に、本変形例の端子収容体３は、互いに隣り合う電気接続空間２０の間を１枚の連接バスバ１４０で繋ぐことができるので、それぞれの電気接続空間２０に収容された複数の電子部品２１０の端子２１２間を連接バスバ１４０で電気的に接続したり、それぞれの電気接続空間２０に収容された複数の電子部品２１０の端子２１２に１枚の連接バスバ１４０で給電したりすることもできる。よって、この端子収容体３は、実施形態や変形例１と比較して、より多くの仕様に対応させるべく連結端子１２０とバスバ１３０と連接バスバ１４０とを適宜使い分けることができるので、仕様の異なる車両間においての更なる共用化が可能になる。本変形例の端子収容体３は、実施形態や変形例１よりも多くの仕様に対応するものとなっているが、やはり、実施形態や変形例１と同じように、作業場での端子１１０や電子部品２１０等の組付け作業に関わる管理を簡便なものとすることができるので、原価を低減させることができる。
【００９１】
本変形例のワイヤハーネスＷＨは、その端子収容体３を備えるものであるので、その端子収容体３の効果を奏することができる。
【符号の説明】
【００９２】
１，２，３  端子収容体
２０  電気接続空間
２０Ａ  第１収容室群
２０Ｂ  第２収容室群
２０Ｘ  第１電気接続空間
２０Ｙ  第２電気接続空間
２１  端子収容室
２１Ｃ  共用収容室（連接収容室）
２１ａ  第１内壁面
２１ｂ  第２内壁面
２１ｃ  第３内壁面
２１ｄ  第４内壁面
２３  間仕切り壁
２３ａ  室間挿入部
３０  収容室（給電端子収容室）
４０  端子保持部
４１  爪部
４２  支持部
５０  バスバ保持部
５１  爪部
５２  支持部
６０  室内挿入部
７０  室間連通部
１１０  端子
１２０  連結端子
１２３  被係止部
１３０  バスバ
１３１  端子部
１３２  連結部
１３３  電線接続部（給電端子部）
１３４  被係止部
１４０  連接バスバ
１４１  端子部
１４２  連結部
１４３  電線接続部（給電端子部）
１５０  給電端子
２１０  電子部品
２１２  端子
２２０  電線
ＷＨ  ワイヤハーネス
【図１】
0006522849.tif 000002
【図２】
0006522849.tif 000003
【図３】
0006522849.tif 000004
【図４】
0006522849.tif 000005
【図５】
0006522849.tif 000006
【図６】
0006522849.tif 000007
【図７】
0006522849.tif 000008
【図８】
0006522849.tif 000009
【図９】
0006522849.tif 000010
【図１０】
0006522849.tif 000011
【図１１】
0006522849.tif 000012
【図１２】
0006522849.tif 000013
【図１３】
0006522849.tif 000014
【図１４】
0006522849.tif 000015
【図１５】
0006522849.tif 000016
【図１６】
0006522849.tif 000017
【図１７】
0006522849.tif 000018
【図１８】
0006522849.tif 000019
【図１９】
0006522849.tif 000020
【図２０】
0006522849.tif 000021
【図２１】
0006522849.tif 000022
【図２２】
0006522849.tif 000023
【図２３】
0006522849.tif 000024
【図２４】
0006522849.tif 000025
【図２５】
0006522849.tif 000026